(57)【要約】      （修正有）【課題】汚れにくくかつメンテナンスし易く、照射角度を調整することができる照明器具を提供する。【解決手段】調理場の調理台で発生する気体を排気するためのレンジフード２００用の照明器具１００であって、照明箱１５２と、照明箱１５２から照射された光の照射角度を調整することが可能な調整部１５０と、調整部１５０が設けられる筐体と、を備え、照明器具１００は、レンジフード２００の外部に設置される。【選択図】図２
0003225332.tif 000002
【実用新案登録請求の範囲】
【請求項１】
調理場の調理台で発生する気体を排気するためのレンジフード用の照明器具であって、
光源と、
前記光源を有し、前記光源から照射された光の照射角度を調整することが可能な調整部と、
前記調整部が設けられる筐体と、
を備え、
前記レンジフードの外部に設置される、照明器具。
【請求項２】
前記筐体は、前記調理場の天井に設置するための面と、前記面から上下方向における下側に向かう側面と、を有し、前記側面によって前記調理台側に開口が形成され、
前記調整部は、前記開口に回転可能に取り付けられている、照明器具。
【請求項３】
前記側面に、点検口が設けられている、照明器具。
【考案の詳細な説明】
【技術分野】
【０００１】
本考案は、照明器具に関する。
【背景技術】
【０００２】
従来、厨房の業務用のレンジフードには、調理時の手元を照らすための照明器具が設置されている。照明器具は、レンジフードの内部に配置され、ビス等で固定される。例えば、特許文献１には、筐体内の傾斜した面に光源が設けられ、対象物に光を集めることが可能な照明器具が開示されている。
【先行技術文献】
【特許文献】
【０００３】
【特許文献１】特開２０１７−０３３８７２号公報
【考案の概要】
【考案が解決しようとする課題】
【０００４】
しかしながら、従来の照明器具は、レンジフードの内部に設けられているため、調理によって発生した油等により汚れてしまう。また、照明器具がレンジフードの内部に設けられているため、油等により汚れた照明器具を清掃する際や、光源の交換の際にアクセスしにくい。更に、照明器具がレンジフードの内部にビス等で固定されているため、光の照射範囲や照射角度等も固定されてしまう。
【０００５】
本考案は、上記の事情に鑑みてなされたもので、汚れにくくかつメンテナンスし易く、照射角度を調整することができる照明器具を提供することを例示的課題とする。
【課題を解決するための手段】
【０００６】
上記の課題を解決するために、本考案は以下の趣旨を有する。
【０００７】
［趣旨１］
本考案の照明器具は、
調理場の調理台で発生する気体を排気するためのレンジフード用の照明器具であって、
光源と、
前記光源を有し、前記光源から照射された光の照射角度を調整することが可能な調整部と、
前記調整部が設けられる筐体と、
を備え、
前記レンジフードの外部に設置される。
【０００８】
［趣旨２］
前記筐体は、前記調理場の天井に設置するための面と、前記面から上下方向における下側に向かう側面と、を有し、前記側面によって前記調理台側に開口が形成され、前記調整部は、前記開口に回転可能に取り付けられていてもよい。
【０００９】
［趣旨３］
前記側面に、点検口が設けられていてもよい。
【００１０】
本考案の更なる目的又はその他の特徴は、以下添付図面を参照して説明される好ましい実施の形態によって明らかにされるであろう。
【考案の効果】
【００１１】
本考案によれば、汚れにくくかつメンテナンスし易く、照射角度を調整することができる照明器具を提供することができる。
【図面の簡単な説明】
【００１２】
【図１】実施形態の（ａ）一般的なレンジフードと照明器具を示す概略縦断面図、（ｂ）実施形態のレンジフードと照明器具を示す概略縦断面図
【図２】実施形態の（ａ）短手方向の所定の位置におけるレンジフードと照明器具の概略縦断面図、（ｂ）（ａ）の一点鎖線Ｒ部分の拡大縦断面図
【図３】実施形態の（ａ）レンジフードと照明器具を下側から見た概略図、（ｂ）照明器具の側面側から見た概略図
【図４】実施形態の（ａ）照明器具をレンジフードの短手面に配置した場合を示す概略図、（ｂ）照明器具をレンジフードの短手面に複数配置した場合を示す概略図、（ｃ）照明器具をレンジフードの長手面に配置した場合を示す概略図、（ｄ）照明器具をレンジフードの長手面に複数配置した場合を示す概略図
【考案を実施するための形態】
【００１３】
［実施形態］
（一般的な照明器具）
図１（ａ）は、一般的なレンジフードと照明器具を示す概略縦断面図であり、後述する本考案の実施形態における照明器具との比較のために、一般的な照明器具を示す。図１（ａ）では、紙面に略直交する方向を短手方向としており、長手方向の縦断面図を示している。一般的な調理場（以下、厨房という）には、調理用加熱器（以下、コンロという）１３１０を有する調理台１３００が設置されている。調理台１３００の上部には、例えば厨房の天井１５００にレンジフード１２００が設置されている。
【００１４】
レンジフード１２００は、天井１５００に略直交する４つの側面１２０５（うち、２つの側面は不図示）を有している。４つの側面１２０５の天井１５００とは反対側の端部（下側の端部）は、例えばレンジフード１２００内に向かって屈折しており、開口１２３０を形成している。レンジフード１２００は、調理台１３００において調理中に発生した気体、例えば少なくとも水分及び油分を含む油煙等（図中、破線で示す）を内部に導く。レンジフード１２００内には、グリスフィルター１２１０及び照明器具１１００が設置されている。
【００１５】
グリスフィルター１２１０は、長手方向の断面でＶ字型の形状をしており、例えば、フィルター（不図示）、フィルター受け（不図示）、防火シャッター（不図示）等を有している。グリスフィルター１２１０は、排気ファン（不図示）及びダクト（不図示）と接続されており、厨房の油煙等を外部に排出するためのもの、すなわち排気を行うためのものである。グリスフィルター１２１０は、調理中に発生した油煙がそのままダクトに流れ込まないように油煙等を濾過し、ダクト内を清浄に保つ。
【００１６】
照明器具１１００は、例えばレンジフード１２００内の天井１５００側に設置されており、対象物、例えば調理に用いられる食材や道具、調理者の手元、調理台１３００等を照明するためのものである。照明器具１１００は、一般的に照射角度が約３０度である。図１（ａ）に、照明器具１１００から照射された光の範囲を破線で示す。このような一般的な照明器具１１００は、レンジフード１２００内部に設置されているために、例えばグリスフィルター１２１０等を避けて設置することとなる。すなわち、照明器具１１００の設置の自由度が低い。また、照明角度が固定されているため、広い範囲をカバーできない。広い範囲をカバーするためには光量を増やす、すなわち照明器具１１００を増やす必要がある。更に、照明器具１１００がレンジフード１２００内に設置されているため、調理の際に発生する油煙等の影響を受け、清掃等が必要である。また、照明器具１１００を交換するためのアクセスも困難である。すなわち、一般的な照明器具１１００では、メンテナンスが困難である。
【００１７】
（本実施形態の照明器具）
図１（ｂ）は、実施形態のレンジフードと照明器具を示す概略縦断面図である。図１（ｂ）でも、紙面に略直交する方向を短手方向としており、長手方向の縦断面図を示している。以下の説明では、上下方向をＺ軸方向、レンジフードの長手方向をＹ軸方向、レンジフードの短手方向をＸ軸方向とする。この場合、Ｙ軸方向は本実施形態の照明器具の短手方向となり、Ｘ軸方向は本実施形態の照明器具の長手方向となる。
【００１８】
本実施形態の厨房には、コンロ３１０を有する調理台３００が設置されている。調理台３００の上部には、例えば厨房の天井５００にレンジフード２００が設置されている。レンジフード２００は、天井５００に略直交する４つの側面２０２〜２０５（２０３、２０４は図３参照）を有している。４つの側面２０２〜２０５の天井５００とは反対側の端部（下側の端部）は、例えばレンジフード２００内に向かって屈折しており、開口２３０を形成している。レンジフード２００は、調理台３００において調理中に発生した油煙等を内部に導く。レンジフード２００内には、グリスフィルター２１０が設置されている。なお、グリスフィルター２１０の構成は、一般的なグリスフィルター１２１０と同様の構成であり、説明を省略する。
【００１９】
図１（ｂ）、図２、図３を用いて本実施形態の照明器具１００について説明する。本実施形態の照明器具１００は、レンジフード２００の外部に設置されている。照明器具１００は、対象物を照明するためのものである。ここで、図２（ａ）は、短手方向の所定の位置におけるレンジフード２００と照明器具１００の概略縦断面図であり、図２（ｂ）は（ａ）の一点鎖線Ｒ部分の拡大縦断面図である。図３（ａ）は、レンジフード２００と照明器具１００を下側から見た概略図、すなわち、調理台３００側から照明器具１００及びレンジフード２００を見た図である。図３（ｂ）は、照明器具１００を照明器具１００の側面側から見た概略図である。
【００２０】
レンジフード２００は、天井５００と接する面２０１と、面２０１から略直交する方向（−Ｚ方向）に伸びる側面、例えば４つの側面２０２〜２０５とを有している。側面２０２〜２０５の天井５００側とは反対側の端部（下側の端部）は屈折しており、例えば、断面コの字形の形状となっている。側面２０２〜２０５の下側の端部により、開口２３０が形成されている。調理の際に発生した油煙等は、開口２３０からレンジフード２００内に吸い込まれ、グリスフィルター２１０を介してダクト（不図示）から外部に排出される。
【００２１】
照明器具１００は、天井５００と接する面１０１と、面１０１から略直交する方向（−Ｚ方向）に伸びる側面、例えば４つの側面１０２〜１０５と、面１０１に対向する面１０６と、を有している。面１０１、側面１０２〜１０５及び面１０６は、照明器具１００の筐体を構成している。照明器具１００は、収納部１４５と調整部１５０とヒンジ１７０とを有している。照明器具１００の面１０６には開口１４０が形成されており、開口１４０には収納部１４５が嵌めこまれている。収納部１４５は、照明箱１５２が取り付けられた調整部１５０を収納することが可能となっている。
【００２２】
収納部１４５及び照明箱１５２の長手方向の長さは、図３（ａ）等に示すように、照明器具１００の長手方向の長さと略同じにしてもよいし、照明器具１００の長手方向の長さよりも短くてもよい。また、照明器具１００の長手方向の長さよりも短い場合には、収納部１４５及び照明箱１５２を照明器具１００の長手方向における中央部に配置してもよいし、２つの端部の一方に寄せて配置してもよい。調整部１５０は、図２（ｂ）に示すように、断面コの字形の形状であり、コの字の開放部に照明箱１５２を取り付けることが可能となっている。調整部１５０は、ストッパ１６０を有している。
【００２３】
側面１０２は、レンジフード２００の側面２０２と接している。側面１０２に対向する側面１０５には開口１１１が形成されており、開口１１１は蓋１１０により閉塞されている。蓋１１０は、ビス１１２により側面１０５に固定されている。ビス１１２及び蓋１１０を取り外すことにより、開口１１１が開放され、照明器具１００の筐体内にアクセスすることが可能となる。例えば、照明器具１００の筐体内には、照明箱１５２内の光源（不図示）に電力を供給するための電源装置（不図示）やケーブル（不図示）等が収納されており、開口１１１を介してこれらの部材のメンテナンスを行うことが可能である。開口１１１は点検口として機能する。
【００２４】
照明器具１００の面１０６には開口１４０が形成されており、断面コの字形の収納部１４５が設けられている。なお、本実施形態では、面１０６に開口１４０を設けて収納部１４５を別部材として設けているが、面１０６と収納部１４５を一体として設けてもよい。
【００２５】
照明箱１５２は、複数の光源（不図示）と光源からの光を外部に導く出射面１５２Ａとを有する。光源は、所定の基準を適合する光源であり、例えば白熱灯、ＬＥＤ等が用いられる。複数の光源は照明箱１５２の長手方向に例えば一列に並んで配置されている。なお、照明箱１５２は、複数の光源が長手方向に一列に並んだものを、短手方向に二列以上有していてもよい。
【００２６】
ここで、図２（ｂ）に示すように、収納部１４５の内部の面を、面１４５ａ、１４５ｂ、１４５ｃとする。このとき、レンジフード２００の側面２０２に接している側面１０２に近い方の面１４５ｃと面１０６とが接する角部に、ヒンジ１７０が取り付けられている。ヒンジ１７０は、羽１７０ａと羽１７０ｂと回転軸１７０ｃとを有している。ヒンジ１７０は、例えばトルクヒンジや任意の位置で固定することが可能なヒンジ等である。一方の羽１７０ａは収納部１４５の面１４５ｃに固定され、他方の羽１７０ｂは調整部１５０の外壁に固定される。これにより、調整部１５０は、ヒンジ１７０の動作に連動して回転軸１７０ｃを中心に回動することが可能となっている。
【００２７】
例えば、調整部１５０は、図２（ｂ）中、点線で示すＣの位置に収納することが可能である。調整部１５０がＣの状態となっているとき、照明箱１５２の出射面１５２Ａは、照明器具１００の面１０６と略面一となる。また、ストッパ１６０は収納部１４５の面１４５ａに接している。ヒンジ１７０は閉状態となり、羽１７０ａと羽１７０ｂとの角度θは略０度となっている。このとき、出射面１５２Ａから光ＬＣが出射される。
【００２８】
例えば、調整部１５０は、図２（ｂ）中、破線で示すＢの位置に移動することが可能である。調整部１５０がＢの状態となっているとき、照明箱１５２の出射面１５２Ａは、照明器具１００の面１０６から突出している。また、ストッパ１６０は収納部１４５の面１４５ａから離れている。ヒンジ１７０は開状態となり、羽１７０ａと羽１７０ｂとの角度θは角度αとなっている。このとき、出射面１５２Ａから光ＬＢが出射される。
【００２９】
例えば、調整部１５０は、図２（ｂ）中、実線で示すＡの位置に移動することが可能である。調整部１５０がＡの状態となっているとき、照明箱１５２の出射面１５２Ａは、照明器具１００の面１０６から更に突出している。また、ストッパ１６０は収納部１４５の面１４５ａから更に離れている。ヒンジ１７０は開状態となり、羽１７０ａと羽１７０ｂとの角度θは角度β（＞α）となっている。このとき、出射面１５２Ａから光ＬＡが出射される。このように、調整部１５０が角度θを調整することで、照明箱１５２から出射される光Ｌの照射角度を変更することができる。
【００３０】
このように、本実施形態の照明器具１００は、調整部１５０を回転軸１７０ｃの周りに回動させることにより、光の照射角度を変えることが可能である。なお、図２（ｂ）では、状態Ａ、Ｂ、Ｃの３つの状態を示しているが、調整部１５０は任意の角度θで固定することが可能である。なお、角度θは、原理上、出射面１５２Ａと面１０６とが接するまで回転させた場合の１８０度までの任意の角度とすることが可能である。
【００３１】
（サイズについて）
レンジフード２００のＸ軸方向の長さ（幅）をＷ１、Ｙ軸方向の長さをＤ１、Ｚ軸方向の長さ（高さ）をＨ１とする。また、本実施形態の照明器具１００のＸ軸方向の長さ（幅）をＷ２、Ｙ軸方向の長さをＤ２、Ｚ軸方向の長さ（高さ）をＨ２とする。
【００３２】
例えば、照明器具１００の高さＨ２をレンジフード２００の高さＨ１と略同じ高さにする。これにより、照明器具１００が図２（ｂ）のＣの位置にあるとき、出射面１５２Ａとレンジフード２００の開口２３０とを略面一とすることができる。この場合、照明箱１５２の高さが一般的な照明器具１１００よりも低くなり、照明器具１１００ではメンテナンス時にアクセスが困難であった点に対して、本実施形態の照明器具１００ではメンテナンスが容易になる。
【００３３】
また例えば、図３（ａ）に示すように、照明器具１００の幅Ｗ２をレンジフード２００の幅Ｗ１と略同じ幅にする。これにより、外観上の統一感が得られる。なお、レンジフード２００の面２０３（又は面２０４）と照明器具１００の側面２０２とを接触させて、レンジフード２００の長さＤ１と照明器具１００の幅Ｗ２とを略同じ幅にし、外観上の統一感が得られるようにしてもよい（図４（ｃ）参照）。更に、幅Ｗ１と幅Ｗ２（又は長さＤ１と幅Ｗ２）とは略同じ長さに揃えなくてもよい。
【００３４】
（配置について）
図４を用いて、照明器具１００の配置の変形例について説明する。図４（ａ）は、照明器具１００をレンジフード２００の短手面に配置した場合を示す概略図、（ｂ）は照明器具１００をレンジフード２００の短手面に複数配置した場合を示す概略図、（ｃ）は照明器具１００をレンジフード２００の長手面に配置した場合を示す概略図、（ｄ）は照明器具１００をレンジフード２００の長手面に複数配置した場合を示す概略図である。
【００３５】
図４（ａ）、（ｃ）に示すように、照明器具１００はレンジフード２００の外部に１つ配置されてもよいし、図４（ｂ）、（ｄ）に示すように、照明器具１００−１、１００−２を並べて配置してもよい。また、照明器具１００−１、１００−２のように連続して並べてもよいし、所定の間隔をあけて並べてもよい。更に、３つ以上の照明器具１００を並べて配置してもよい。
【００３６】
また、上述した例では、レンジフード２００の１つの側面に接するように照明器具１００を配置したが、レンジフード２００の２つ以上の側面に接するように照明器具１００を配置してもよい。照明器具１００の配置は、照明器具１００が設置される厨房の広さ、高さ、レンジフード２００のサイズ、設置場所、形状等に応じて適宜決定される。
【００３７】
以上説明したように、本実施形態の照明器具１００は、レンジフード２００の外部に配置されるため、レンジフード２００内に吸い込まれる油煙等による汚れの影響を受けにくく汚れが低減される。また、照明箱１５２が照明器具１００の筐体の下側に配置されるため、メンテナンス時にアクセスしやすい。また、照明箱１５２が、角度を調整することができる調整部１５０に収納されているため、ピンポイントで対象物を照明するように光の照射角度を調整することが可能である。更に、照明器具１００の筐体に点検口を設けたため、照明器具１００の電源装置等へのアクセスが容易である。
【００３８】
以上、本考案の好ましい実施の形態を説明したが、本考案はこれらに限定されるものではなく、その要旨の範囲内で様々な変形や変更が可能である。
例えば、調理用加熱器は、電気、気体燃料、液体燃料等を熱源とするものであってよい。
例えば、レンジフードは、全部が天井と接している必要はなく、一部が接している構成でもよい。
例えば、照明器具はレンジフードの他の面に接するように設置してもよい。また、レンジフードに接していなくてもよく、照明器具が独立して天井に設置されてもよい。例えば、照明器具は天井に接するように設置したが、側面が厨房の側壁に接するように設置されてもよい。
【００３９】
このように、本考案の照明器具の設置状態は、上述した実施形態に限定されるものではない。また、照明箱が有する光源の数や配置等は、上述した実施形態に限定されない。更に、照明器具の調整部の角度の調整は、手動で行っても、モータやリモートコントローラ等を用いて自動で行ってもよい。
【００４０】
以上、本実施形態によれば、汚れにくくかつメンテナンスし易く、照射角度を調整することができる照明器具を提供することができる。
【符号の説明】
【００４１】
１００      照明器具
１００−１  照明器具
１００−２  照明器具
１０１      面
１０２〜１０５      側面
１０６      面
１１０      蓋
１１１      開口
１１２      ビス
１４０      開口
１４５      収納部
１４５ａ、１４５ｂ、１４５ｃ      面
１５０      調整部
１５２      照明箱
１５２Ａ    出射面
１６０      ストッパ
１７０      ヒンジ
１７０ａ、１７０ｂ      羽
１７０ｃ    回転軸
２００      レンジフード
２０１      面
２０２〜２０５      側面
２１０      グリスフィルター
２３０      開口
３００      調理台
３１０      コンロ
５００      天井
１１００    照明器具
１２００    レンジフード
１２０５    側面
１２１０    グリスフィルター
１２３０    開口
１３００    調理台
１５００    天井
【図１】
0003225332.tif 000003
【図２】
0003225332.tif 000004
【図３】
0003225332.tif 000005
【図４】
0003225332.tif 000006
【手続補正書】
【提出日】令和1年12月23日(2019.12.23)
【手続補正１】
【補正対象書類名】実用新案登録請求の範囲
【補正対象項目名】全文
【補正方法】変更
【補正の内容】
【実用新案登録請求の範囲】
【請求項１】
調理場の調理台で発生する気体を排気するためのレンジフード用の照明器具であって、
光源と、
前記光源から照射された光の照射角度を調整することが可能なヒンジと、
前記ヒンジが取り付けられている筐体と、
を備え、
前記レンジフードの外部に設置される、照明器具。
【請求項２】
前記筐体は、前記調理場の天井に設置するための面と、前記面から上下方向における下側に向かう側面と、を有し、前記側面によって前記調理台側に開口が形成され、
前記ヒンジは、前記開口に取り付けられている、請求項１に記載の照明器具。
【請求項３】
前記側面に、点検口が設けられている、請求項２に記載の照明器具。